(57)【要約】【課題】通常のダウンライトを使用し、廊下全体は支障なく照明しながら、廊下の幅方向に視覚的な変化を与えて、単調で閉鎖的な空間を伸びやかに演出することができる集合住宅の部屋構造を提供する。【解決手段】集合住宅の部屋構造において、共用廊下２１へ接続する出入口２７が扉２９により開閉される玄関１１と、玄関１１に接続されて屋内側へ延在し幅方向の両側が一対の平行な壁部と接続する廊下１３と、廊下１３の上方でこの廊下１３と平行となり一対の平行な壁部を接続する天井と、天井に取り付けられて真下を照明し廊下１３の幅長の略１／３の距離で一方の壁部３５に寄せることにより、一方の壁部３５の一部の照明領域を他方の壁部３７よりも高い照度で照らす少なくとも一つのダウンライト１７と、一方の壁部３５の照明領域に掛けられダウンライト１７により高い照度で照らされる絵画等と、を設けた。【選択図】  図１
0003219019.tif 000002
【実用新案登録請求の範囲】
【請求項１】
共用廊下へ接続する出入口が扉により開閉される玄関と、
前記玄関に接続されて屋内側へ延在し幅方向の両側が一対の平行な壁部と接続する廊下と、
前記廊下の上方でこの廊下と平行となり前記一対の平行な壁部を接続する天井と、
前記天井に取り付けられて真下を照明し前記廊下の幅長の略１／３の距離で一方の前記壁部に寄せることにより、一方の前記壁部の一部の照明領域を他方の前記壁部よりも高い照度で照らす少なくとも一つのダウンライトと、
一方の前記壁部の前記照明領域に掛けられ前記ダウンライトにより高い照度で照らされる絵画等と、
を具備することを特徴とする集合住宅の部屋構造。
【請求項２】
一方の前記壁部と前記天井とが交わる入隅部に、前記絵画等を吊り下げ可能とするフック部を備えるピクチャーレールが取り付けられたことを特徴とする請求項１に記載の集合住宅の部屋構造。
【請求項３】
前記玄関または前記廊下には、前記玄関及び前記廊下の全域を検知エリアとして作動する人感センサが取り付けられ、
前記ダウンライトが、前記人感センサの検出信号により点灯・消灯制御されるように、前記人感センサに電気的に接続されたことを特徴とする請求項１または請求項２に記載の集合住宅の部屋構造。
【考案の詳細な説明】
【技術分野】
【０００１】
本考案は、集合住宅の部屋構造に関する。
【背景技術】
【０００２】
集合住宅では、玄関に接続する廊下の天井に、ダウンライトがしばしば施工される。特許文献１の図７に開示されるように、ダウンライトは、一般的に廊下の幅長の中央に位置して、廊下の延在方向には、廊下の長さに応じて一つ乃至複数が取り付けられる。ダウンライトは、天井に埋め込まれた状態で取り付けられ、床面に向けて真下を照らす。玄関廊下は、その幅長が、１０００ｍｍ以下であることが多い。このため、天井のダウンライトは、床面から壁面までを十分な明るさで照らすことができる。
【先行技術文献】
【特許文献】
【０００３】
【特許文献１】実開平３−８８２９９号公報
【考案の概要】
【考案が解決しようとする課題】
【０００４】
しかしながら、従来の玄関廊下は、ダウンライトにより、床面から壁面までを十分な明るさで照らすことはできたが、ダウンライトが廊下の幅長の中心に位置するため、狭い廊下の幅方向の対称性が視覚的に強調され、単調で閉鎖的な空間となりがちであった。また、スポットライト等の照明器具を増設することにより、視覚的な変化を演出することも考えられるが、コストが増大するとともに、折角、ダウンライトの天井埋め込みにより得られている天井のスッキリ感が損なわれる虞もある。
【０００５】
本考案は上記状況に鑑みてなされたもので、その目的は、通常のダウンライトを使用し、廊下全体は支障なく照明しながら、廊下の幅方向に視覚的な変化を与えて、単調で閉鎖的な空間を伸びやかに演出することができる集合住宅の部屋構造を提供することにある。
【課題を解決するための手段】
【０００６】
次に、上記の課題を解決するための手段を、実施の形態に対応する図面を参照して説明する。
本考案の請求項１記載の集合住宅の部屋構造は、共用廊下２１へ接続する出入口２７が扉２９により開閉される玄関１１と、
前記玄関１１に接続されて屋内側へ延在し幅方向の両側が一対の平行な壁部と接続する廊下１３と、
前記廊下１３の上方でこの廊下１３と平行となり前記一対の平行な壁部を接続する天井１５と、
前記天井１５に取り付けられて真下を照明し前記廊下１３の幅長の略１／３の距離で一方の前記壁部に寄せることにより、一方の前記壁部の一部の照明領域４７を他方の前記壁部よりも高い照度で照らす少なくとも一つのダウンライト１７と、
一方の前記壁部の前記照明領域４７に掛けられ前記ダウンライト１７により高い照度で照らされる絵画１９等と、
を具備することを特徴とする。
【０００７】
この集合住宅の部屋構造では、玄関廊下上方の天井１５に、通常のダウンライト１７が、埋め込まれて施工される。ダウンライト１７は、廊下１３の幅長の略１／３の距離で一方の壁部３５に寄せられて配置される。ダウンライト１７は、従来、廊下全体に光を行き渡らせるために、廊下幅の中央に配置されていたが、十分に明るいものであり、片側の壁に寄せても、廊下全体を支障なく照明できる。ダウンライト１７は、片側の壁面に寄っていることで、明るさの強弱が左右の壁部に現れる、つまり、やや明るいところが現れる。この明るい照明領域４７に、絵画１９等を配置することで、通常のダウンライト１７の照明光をスポットライトのよう、すなわちスポットライト風に作用させて、絵画１９等を照らすことが可能となる。すなわち、集合住宅の部屋構造は、ダウンライト１７を片側の壁部に寄せることで、照度分布をその壁部に片寄せ、これにより、その壁面に掛けられた絵画１９等を、見栄え良くする。
【０００８】
本考案の請求項２記載の集合住宅の部屋構造は、請求項１に記載の集合住宅の部屋構造であって、
一方の前記壁部と前記天井１５とが交わる入隅部に、前記絵画１９等を吊り下げ可能とするフック部５１を備えるピクチャーレール４９が取り付けられたことを特徴とする。
【０００９】
この集合住宅の部屋構造では、ダウンライト１７が寄せられる一方の壁部３５と天井１５とが交わる入隅部に、ピクチャーレール４９が取り付けられる。ピクチャーレール４９は、絵画１９等を吊り下げるフック部５１を備える。ピクチャーレール４９は、任意の数のフック部５１が、長手方向に移動自在に係合する。フック部５１には、長さの調節されたワイヤ５３により、絵画１９等が吊り下げられる。これにより、絵画１９等は、壁面に対して上下左右の任意の位置に掛けられるようになる。
【００１０】
本考案の請求項３記載の集合住宅の部屋構造は、請求項１または請求項２に記載の集合住宅の部屋構造であって、
前記玄関１１または前記廊下１３には、前記玄関１１及び前記廊下１３の全域を検知エリアとして作動する人感センサ５５が取り付けられ、前記ダウンライト１７が、前記人感センサ５５の検出信号により点灯・消灯制御されるように、前記人感センサ５５に電気的に接続されたことを特徴とする。
【００１１】
この集合住宅の部屋構造では、玄関１１及び廊下１３の全域を検知エリアとして作動する人感センサ５５が、玄関１１または廊下１３に取り付けられる。人感センサ５５は、検出信号によりダウンライト１７の点灯・消灯を制御するように、ダウンライト１７に電気的に接続されている。これにより、ダウンライト１７は、人が屋外から玄関１１へ進入することにより、或いは居室から廊下１３へ進入することにより、自動で点灯される。玄関１１及び廊下１３は、ダウンライト１７が点灯することにより、上述のように、廊下全体の支障のない照明が可能となるとともに、単調で閉鎖的な空間を、絵画１９等を浮かび上がらせて、明るく、伸びやかに演出することが可能となる。
【考案の効果】
【００１２】
本考案に係る請求項１記載の集合住宅の部屋構造によれば、通常のダウンライトを使用し、廊下全体は支障なく照明しながら、廊下の幅方向に視覚的な変化を与えて、単調で閉鎖的な空間を絵画等で演出し、この絵画等を浮かび上がらせるような演出効果を得られ、また廊下全体を伸びやかに演出することができる。
【００１３】
本考案に係る請求項２記載の集合住宅の部屋構造によれば、壁部に釘孔を残さず、すなわち壁部を傷つけることなく、任意の数の絵画等を、好みの高さなどの位置に容易に掛けることができ、また、その位置の変更を容易に行うことができる。
【００１４】
本考案に係る請求項３記載の集合住宅の部屋構造によれば、例えば帰宅時に、扉を開いて玄関に入るのみで、照明が点灯し、同時に絵画を照らすことができ、出迎え感を演出することができる。
【図面の簡単な説明】
【００１５】
【図１】実施の形態に係る集合住宅の部屋構造を有した居室空間全体の平面図である。
【図２】集合住宅の部屋構造が採用された玄関廊下近傍の要部拡大平面図である。
【図３】図２に示した集合住宅の部屋構造を、玄関を奥側として見た斜視図である。
【図４】集合住宅の部屋構造が採用された玄関廊下の縦断面図である。
【考案を実施するための形態】
【００１６】
以下、本考案に係る実施の形態を図面を参照して説明する。
図１は、本実施の形態に係る集合住宅の部屋構造を有した居室空間全体の平面図である。
本実施の形態に係る集合住宅の部屋構造は、玄関１１と、廊下１３と、天井１５（図３参照）と、ダウンライト１７と、絵画１９等と、を主要な構成として有する。
【００１７】
マンション等では、共用廊下２１に、各戸の居室空間２３が、玄関１１により接続される。玄関１１の屋外側には、ポーチ２５の設けられることもある。共用廊下２１へ接続する玄関１１の出入口２７は、例えば扉２９により開閉される。玄関１１は、出入口２７を挟みポーチ２５の反対側が土間３１となり、土間３１より上がり框３３を境に、居室空間２３と同一の床高となる玄関廊下へと接続される。
【００１８】
図２は、集合住宅の部屋構造が採用された玄関廊下近傍の要部拡大平面図である。
廊下１３は、玄関１１に接続して屋内側へ延在する。廊下１３は、玄関１１に接続する直線部分があれば、Ｌ字形、Ｔ字形となって居室空間２３へ接続されてもよい。本実施の形態において、玄関廊下とは、玄関１１に接続するこの直線部分を言う。
【００１９】
廊下１３は、幅方向の両側が一対の平行な壁部（一方の壁部３５、他方の壁部３７）と接続する。通常、左右の壁部は、下地となる石膏ボードの表面に、クロス等が貼られて仕上げられる。この他、壁部は、壁面と同一平面となる扉３９（図１参照）により開閉自在となる収納部４１等が設けられていてもよい。
【００２０】
天井１５は、廊下１３の上方で、この廊下１３と平行となって、一対の平行な壁部を接続する。廊下１３の天井高は、居室内に比べ、やや低く設定されることがある。例えば、居室内の天井高が２４００ｍｍであるのに対し、廊下１３や玄関１１の天井高Ｈ（図４参照）は２１００ｍｍ程度となる。これにより、居室よりも余裕のある玄関廊下の天井懐４３（図４参照）は、例えば配管４５などのスペースに利用される。この玄関廊下の天井１５には、床面に向けて真下を照らすダウンライト１７が埋込状態で取り付けられる。
【００２１】
ダウンライト１７は、天井１５に取り付けられて真下を照明する。ダウンライト１７は、内周面がシボ仕上げ等により反射面となった略円筒状の器具本体部が、天井１５に埋め込まれて取り付けられる。ダウンライト１７は、少なくとも一つが設けられる。ダウンライト１７は、複数の場合、廊下１３の延在方向に沿って、直線上に所定の間隔で設けられる。この場合、一つが、土間上の天井１５に設けられてもよい。
【００２２】
この集合住宅の部屋構造では、ダウンライト１７が、廊下１３の幅長の略１／３の距離で一方の壁部３５に寄せて取り付けられる。廊下１３の幅Ｗ（図４参照）は、一般的に１０００ｍｍ以下であることが多いため、一方の壁部３５からは約３００ｍｍ程度の位置Ａ（図４参照）で配置される。これにより、ダウンライト１７は、一方の壁部３５における一部の照明領域４７（図４参照）を、他方の壁部３７よりも高い照度で照らすことができる。
【００２３】
なお、集合住宅の部屋構造は、居室空間２３に接続する直近の天井１５には、廊下１３の幅Ｗの通常通りの中央位置に、ダウンライト１７が配置されていてもよい。この場合、その近傍の一方の壁部３５には、絵画１９等は、掛けられない。
【００２４】
図３は、図２に示した集合住宅の部屋構造を、玄関１１を奥側として見た斜視図である。
一方の壁部３５の照明領域４７には、例えば絵画１９等の装飾・展示物が掛けられる。装飾・展示物としては、絵画１９の他、写真、工芸品、季節の飾り、家族が折り紙等により作成した鯉のぼりやおひなさまなどのハンドクラフト作品等を挙げることができる。これら絵画１９等は、一方の壁部３５の照明領域４７に掛けられることにより、他方の壁部３７よりも高い照度で照らされることになる。
【００２５】
絵画１９等は、ピクチャーレール４９により吊り下げることができる。ピクチャーレール４９は、一方の壁部３５と天井１５とが交わる入隅部に、一方の壁部３５に沿って取り付けられる。ピクチャーレール４９は、絵画１９等を吊り下げ可能とするフック部５１、ワイヤ５３を備える。フック部５１は、ピクチャーレール４９の長手方向に沿って移動が可能となる。また、フック部５１は、追加や取り外しにより、飾りたい絵画１９等の数に合わせて任意の数とすることができる。なお、このピクチャーレール４９は、天井１５に埋め込まれる構造が好ましく、その他に壁部３５に埋め込まれる構造、天井１５の面に対して固定される構造、壁部３５の面に固定される構造などとしてもよい。
【００２６】
玄関１１または廊下１３には、人感センサ５５（図２参照）が取り付けられる。この人感センサ５５は、玄関１１及び廊下１３の全域を検知エリアとして作動する。ダウンライト１７は、この人感センサ５５の検出信号により、点灯・消灯制御されるように、人感センサ５５に、リレーを有した制御盤（図示略）を介して電気的に接続される。
【００２７】
次に、上記した構成の作用を説明する。
図４は、集合住宅の部屋構造が採用された玄関廊下の縦断面図である。
本実施の形態に係る集合住宅の部屋構造では、玄関廊下上方の天井１５に、通常のダウンライト１７が、埋め込まれて施工される。ダウンライト１７は、廊下１３の幅Ｗの略１／３の距離Ａで一方の壁部３５に寄せられて配置される。ダウンライト１７は、従来、廊下全体に光を行き渡らせるために、廊下１３の幅Ｗの中央に配置されていたが、十分に明るいものであり、中央より片側の壁に寄せても、廊下全体を支障なく照明できる。
【００２８】
ダウンライト１７は、一方の壁部３５に寄っていることで、明るさの強弱が左右の壁部に現れる、すなわち、やや明るいところが現れることになる。この明るい照明領域４７に、絵画１９等を配置することで、通常のダウンライト１７の照明光をスポットライトのよう、つまりスポットライト風に作用させて、絵画１９等を照らすことが可能となる。すなわち、集合住宅の部屋構造は、ダウンライト１７を片側の壁部３５に寄せることで、照度分布をその壁部に片寄せ、これにより、その壁面、本実施の形態では一方の壁部３５の壁面に掛けられた絵画１９等を、明るく照らし、浮かび上がらせるように見栄え良くする。
【００２９】
このように、集合住宅の部屋構造では、通常のダウンライト１７を、一方の壁部３５に片寄せて配置することにより、狭い廊下１３の幅方向の対称性を、視覚的に崩す効果が得られ、単調で閉鎖的な空間を、明るく、伸びやかに演出することが可能となる。つまり、明暗により、廊下１３の幅方向に遠近感が生まれ、拡張感、拡がりが得られる。
【００３０】
また、ダウンライト１７は、器具の殆どを天井１５に埋め込むことで、天井１５をスッキリ見せることができる。集合住宅の部屋構造は、このようなダウンライト１７の特徴的な効果も相俟って、従来、単調で殺風景であった玄関廊下を、美術館やギャラリーのように演出することが可能となる。
【００３１】
また、天井懐４３には、排気管などの配管４５が配設される。集合住宅の部屋構造では、廊下１３の幅Ｗの片側にダウンライト１７を寄せて配置したことで、これら配管４５を、ダウンライト１７と逆側に寄せて、纏めることができる。集合住宅の部屋構造は、ダウンライト１７を一方の壁部３５に寄せることで、ダウンライト１７を天井懐４３の中央部に配置する場合の比べ、配管スペースＳ（図４参照）を集約して大きく確保することができるようになる。
【００３２】
また、この集合住宅の部屋構造では、ダウンライト１７が寄せられる一方の壁部３５と天井１５とが交わる入隅部に、ピクチャーレール４９が取り付けられる。ピクチャーレール４９は、絵画１９等を吊り下げるフック部５１を備える。ピクチャーレール４９は、任意の数のフック部５１が、長手方向に移動自在に係合する。フック部５１には、長さの調節されたワイヤ５３により、絵画１９等が吊り下げられる。これにより、絵画１９等は、壁面に対して上下左右の任意の位置に掛けられるようになる。その結果、集合住宅の部屋構造は、壁部に釘孔を残さず、この壁部を傷つけることなく、任意の数の絵画１９等を、好みの位置に容易に掛けることができる。
【００３３】
さらに、この集合住宅の部屋構造では、玄関１１及び廊下１３の全域を検知エリアとして作動する人感センサ５５が、玄関１１または廊下１３に取り付けられる。人感センサ５５は、検出信号によりダウンライト１７の点灯・消灯を制御するように、ダウンライト１７に電気的に接続されている。これにより、ダウンライト１７は、人が屋外から玄関１１へ進入することにより、或いは居室から廊下１３へ進入することにより、自動で点灯される。
【００３４】
玄関１１及び廊下１３は、ダウンライト１７が点灯することにより、上述のように、廊下全体の支障のない照明が可能となるとともに、単調で閉鎖的な空間を、明るく、伸びやかに演出することが可能となる。その結果、例えば帰宅時に、扉２９を開いて玄関１１に入るのみで、照明が点灯し、同時に絵画１９を照らすことができ、出迎え感を演出することができる。部屋から廊下１３に移る際にも、絵画１９等を照らすようになってギャラリーのような演出を釀しだし、小さな子供が作った折り紙などの作品などを効果的に照らし、単なる移動空間としての廊下１３ではなく、楽しい空間を作り出せる。また、外出時には、照明が点灯し、同時に絵画１９を照らすことができ、見送り感を演出することができる。
【００３５】
従って、本実施の形態に係る集合住宅の部屋構造によれば、通常のダウンライト１７を使用し、廊下全体は支障なく照明しながら、廊下１３の幅方向に視覚的な変化を与えて、飾られた絵画等を浮かび上がらせ、単調で閉鎖的な空間を伸びやかに演出することができる。
【符号の説明】
【００３６】
１１…玄関
１３…廊下
１５…天井
１７…ダウンライト
１９…絵画
２１…共用廊下
２７…出入口
２９…扉
３５…一方の壁部（壁部）
３７…他方の壁部（壁部）
４７…照明領域
４９…ピクチャーレール
５１…フック部
５５…人感センサ
Ａ…略１／３の距離
Ｗ…幅長
【図１】
0003219019.tif 000003
【図２】
0003219019.tif 000004
【図３】
0003219019.tif 000005
【図４】
0003219019.tif 000006